(57)【要約】【課題】内蓋を必要とすることなく、電子レンジによる加熱時に吹きこぼれが発生して電子レンジ内を汚したり、蒸気圧で蓋が傾いて開口してしまうこともなく、おいしく炊飯でき、そのまま茶碗として炊き立て御飯を食することができる、より簡素な構造の炊飯兼用一膳茶碗を提供する。【解決手段】本考案の炊飯兼用一膳茶碗１は、蓋体２と、蓋体載置部３を内面に有した本体部４とからなり、蓋体２には、複数の蒸気吹出孔５が、平面視で周角（３６０゜）を当該蒸気吹出孔５の数で除した略等角度にて離間して設けられている。本体部４が内面に蓋体載置部３を備え、さらに複数の蒸気吹出孔５が平面視にて周角（３６０゜）を当該蒸気吹出孔の数で除した略等角度で離間して設けられているため、蒸気圧で蓋体が持ち上がる場合でも水平に持ち上がり、蓋体が傾いて開口してしまうことがなく、吹きこぼれて電子レンジ内を汚したりすることもない。【選択図】図１
0003130306.tif 000002
【実用新案登録請求の範囲】
【請求項１】
電子レンジを利用して炊飯可能な炊飯兼用一膳茶碗であって、蓋体と、該蓋体を載置するための蓋体載置部を内面に有した本体部とからなり、前記蓋体には、複数の蒸気吹出孔が、平面視にて、周角（３６０゜）を当該蒸気吹出孔の数で除した略等角度で離間して設けられていることを特徴とする炊飯兼用一膳茶碗。
【請求項２】
前記複数の蒸気吹出孔は、略同一水平レベルに設けられている請求項１に記載の炊飯兼用一膳茶碗。
【請求項３】
前記蓋体載置部は、環状凸部である請求項１または２に記載の炊飯兼用一膳茶碗。
【請求項４】
前記蒸気吹出孔は、前記本体部の蓋体載置部に前記蓋体が載置された状態で、前記本体部の上端より上方に位置するように形成されている請求項１ないし３のいずれかに記載の炊飯兼用一膳茶碗。
【請求項５】
前記蓋体は、前記本体部の蓋体載置部に載置された状態で山型を呈して配されると共に頂部には把持部が設けられ、さらに、前記蒸気吹出孔は、前記蓋体の下端より上端側に形成されている請求項１ないし４のいずれかに記載の炊飯兼用一膳茶碗。
【請求項６】
前記複数の蒸気吹出孔は、平面視で略９０゜間隔で４つ形成されている請求項１ないし５のいずれかに記載の炊飯兼用一膳茶碗。
【請求項７】
前記本体部の内面には、米量目盛環状線および水量目盛環状線が設けられている請求項１ないし６のいずれかに記載の炊飯兼用一膳茶碗。
【考案の詳細な説明】
【技術分野】
【０００１】
本考案は、電子レンジを利用して炊飯できると共に、そのまま茶碗として使用できる炊飯兼用一膳茶碗に関するものである。
【背景技術】
【０００２】
従来より、洗米した米と水を本体容器内に配して電子レンジで加熱することにより、炊き上がり後は、そのまま一膳の茶碗として炊き立て御飯を食することができる炊飯兼用一膳茶碗が提案されている。
例えば、そのようなものとして、図４に示すように、陶磁器製茶碗３１と、陶磁器製茶碗３１の上面開口周縁の内側に嵌合係止される陶磁器製中蓋３２と、陶磁器製中蓋３２の上方の陶磁器製茶碗３１の上面開口周縁に嵌合係止される陶磁器製外蓋３３とから構成し、陶磁器製茶碗３１の甲台３４の環状の側周面に複数の通気部３５を形成し、陶磁器製中蓋３２の内面側に中央山部３６、谷部３７、周辺山部３８を形成し、陶磁器製中蓋３２及び陶磁器製外蓋３３にそれぞれ通気孔３９、４０を形成した電子レンジ用炊飯茶碗３０がある。
【０００３】
ところで、この種の電子レンジ用炊飯茶碗では、電子レンジによる加熱時に吹きこぼれが発生して電子レンジ内を汚したり、蒸気圧で蓋が傾いて開口してしまうなどの問題がある。そして、そのような問題を解決するためには、電子レンジ用炊飯茶碗３０のように、外蓋と共に内蓋が必要と考えられていた。また、内蓋の構造などにも様々な工夫がなされていた。
【特許文献１】実用新案登録第３１１７１６３号公報
【考案の開示】
【考案が解決しようとする課題】
【０００４】
本願考案者は、上記従来の電子レンジ用炊飯茶碗の問題点をより簡素な構造で解決すべく鋭意研究した結果、本考案を想起完成するに至った。すなわち、本考案の課題は、内蓋を必要とすることなく、電子レンジによる加熱時に吹きこぼれが発生して電子レンジ内を汚したり、蒸気圧で蓋が傾いて開口してしまうこともなく、おいしく炊飯でき、そのまま茶碗として炊き立て御飯を食することができる、より簡素な構造の炊飯兼用一膳茶碗を提供することにある。
【課題を解決するための手段】
【０００５】
上記課題を解決するものは、電子レンジを利用して炊飯可能な炊飯兼用一膳茶碗であって、蓋体と、該蓋体を載置するための蓋体載置部を内面に有した本体部とからなり、前記蓋体には、複数の蒸気吹出孔が、平面視にて、周角（３６０゜）を当該蒸気吹出孔の数で除した略等角度で離間して設けられていることを特徴とする炊飯兼用一膳茶碗である。
【０００６】
前記複数の蒸気吹出孔は、略同一水平レベルに設けられていることが好ましい。前記蓋体載置部は、環状凸部であることが好ましい。前記蒸気吹出孔は、前記本体部の蓋体載置部に前記蓋体が載置された状態で、前記本体部の上端より上方に位置するように形成されていることが好ましい。前記蓋体は、前記本体部の蓋体載置部に載置された状態で山型を呈して配されると共に頂部には把持部が設けられ、さらに、前記蒸気吹出孔は、前記蓋体の下端より上端側に形成されていることが好ましい。前記複数の蒸気吹出孔は、平面視で略９０゜間隔で４つ形成されていることが好ましい。前記本体部の内面には、米量目盛環状線および水量目盛環状線が設けられていることが好ましい。
【考案の効果】
【０００７】
請求項１に記載の考案によれば、内蓋を必要とすることなく、電子レンジによる加熱時に吹きこぼれが発生して電子レンジ内を汚したり、蒸気圧で蓋が傾いて開口してしまうこともなく、おいしく炊飯でき、そのまま茶碗として炊き立て御飯を食することができる。特に、本体部が内面に蓋体載置部を備え、さらに複数の蒸気吹出孔が、平面視にて周角（３６０゜）を当該蒸気吹出孔の数で除した略等角度で離間して設けられているため、蒸気圧で蓋体が持ち上がる場合でも水平状態を保持したまま上方に持ち上がり、蓋体が傾向いて開口してしまうことがなく、水蒸気が吹きこぼれて電子レンジ内を汚したりすることもない。
請求項２によれば、水平バランスがより良好な蓋体となる。
請求項３によれば、上記請求項１または２の効果に加え、環状凸部に形成された蓋体載置部にて、より安定して蓋体を保持できる。
請求項４によれば、上記請求項１ないし３の効果に加え、蒸気吹出孔から噴出する水蒸気が、本体部の内面に当たって蓋体が傾き開口することをより防止できる。
請求項５によれば、上記請求項１ないし４の効果に加え、蓋体の頂部に設けられた把持部の重量でより安定して蓋体が載置されると共に、蒸気吹出孔が上端側に設けられることで、蒸気が側方ではなく上方に流れるため、蓋体が傾いて開口してしまうことをより防止できる。
請求項６によれば、蓋体の載置状態が最も安定したものとなる。
請求項７によれば、米量目盛環状線および水量目盛環状線が設けられていることにより、適切な米量および水量を本体部内に配することができ、安定しておいしい御飯を炊き上げることができる。
【考案を実施するための最良の形態】
【０００８】
電子レンジの加熱に際し、内蓋を設けることなく、蓋体を本体部に安定して載置させることで、吹きこぼれが生じることがなく、おいしく御飯を炊き上げ可能な炊飯兼用一膳茶碗を実現した。
【実施例１】
【０００９】
図１は本考案の炊飯兼用一膳茶碗の一実施例の平面図であり、図２は図１に示した炊飯兼用一膳茶碗の正面図であり、図３は図１のＡ−Ａ線断面図である。また、２は蓋体、３は蓋体載置部、４は本体部、５は蒸気吹出孔、６は把持部、７は甲台、８は米量目盛環状線、９は水量目盛環状線である。
【００１０】
この実施例の炊飯兼用一膳茶碗１は、図１に示すよう、電子レンジを利用して炊飯可能な炊飯兼用一膳茶碗であって、蓋体２と、蓋体２を載置するための蓋体載置部３を内面に有した本体部４とからなり、蓋体２には、複数の蒸気吹出孔５が、平面視にて、周角（３６０゜）を当該蒸気吹出孔５の数（４）で除した略等角度（９０゜）で離間して設けられていることを特徴とする炊飯兼用一膳茶碗である。以下、各構成について順次詳述する。
【００１１】
炊飯兼用一膳茶碗１は、電子レンジを利用して炊飯可能な炊飯兼用一膳茶碗であり、内部に洗米と所要量の水を配して電子レンジにて加熱することにより、一膳程度の御飯を短時間で炊き上げることができる。
【００１２】
この炊飯兼用一膳茶碗１は、陶磁器製の蓋体２と陶磁器製の本体部４のみからなり、従来、吹きこぼれ防止のために必須と考えられていた内蓋を要しない。
蓋体２は、図２または図３に示すように、後述する本体部４に載置された状態で山型を呈して配され、頂部には把持部６が設けられている。
【００１３】
蓋体２には、図１に示すように、複数の蒸気吹出孔５が、平面視にて周角（３６０゜）を当該蒸気吹出孔５の数で除した略等角度で離間して設けられている。このため、蒸気圧で蓋体が持ち上がる場合でも水平状態を保持したまま上方に持ち上がり、蓋体が傾向いて開口してしまうことがなく、水蒸気が吹きこぼれて電子レンジ内を汚したりすることもない。
【００１４】
具体的には、この実施例の蓋体２の蒸気吹出孔５は、平面視で略９０゜間隔で４つ形成されている。これが最も安定した載置状態を保持できる。ただし、本考案の炊飯兼用一膳茶碗はこれに限定されるものでなく、蒸気吹出孔が、平面視にて、周角（３６０゜）を当該蒸気吹出孔の数で除した略等角度で離間して設けられているものを広く包含し、例えば、１８０゜間隔で２個設けられたもの、１２０゜間隔で３個設けられたもの、７２゜間隔で５個設けられたもの、６０゜間隔で６個設けられたものなども本考案の範疇に包含される。
【００１５】
また、複数の蒸気吹出孔５は、図１または図２に示すように、略同一水平レベルに設けられており、これによって、水平バランスがより良好な蓋体となり、蒸気圧で蓋体が持ち上がる場合でも水平状態を保持したまま持ち上がり、蓋体が傾いて開口してしまうことがなく、水蒸気が吹きこぼれて電子レンジ内を汚したりすることもない。
【００１６】
さらに、複数の蒸気吹出孔５は、図２または図３に示すように、本体部４の蓋体載置部３に蓋体２が載置された状態で、本体部４の上端４ａより上方に位置するように形成されている。これにより、蒸気吹出孔５から噴出する水蒸気が、本体部４の内面に当たって蓋体２が傾き開口することを防止できる。
【００１７】
また、蓋体２は、図３に示すように、本体部４の蓋体載置部３に載置された状態で山型を呈して配されると共に頂部には把持部６が設けられ、さらに、複数の蒸気吹出孔５は、蓋体２の下端２ｂより上端２ａ側に形成されている。これにより、蓋体の頂部に設けられた把持部の重量でより安定して蓋体が載置されると共に、蒸気吹出孔が上端側に設けられることで、蒸気が側方（下方麓部）ではなく上方に向かって流れるため、蓋体が傾いて開口してしまうことをより防止できる。
【００１８】
本体部４は、内部に洗米と水を配して御飯を炊上げる部位であると共に、炊き上がり後は、そのまま茶碗として使用する部位である。この本体部４の内面には、蓋体２を載置するための蓋体載置部３が設けられている。より具体的には、この実施例の本体部４は、蓋体載置部３が環状凸部にて形成されている。このように、蓋体載置部３を環状凸部にて形成することで、より安定して蓋体２を本体部４の内面にて保持できる。ただし、本考案の蓋体載置部は、本体部の内面にて蓋体を載置可能なものであればどのようなものでもよく、例えば、間欠的に配された蓋体載置部を有するものなども、広く本考案の範疇に包含される。
【００１９】
また、本体部４の内面には、図３に示すように、米量目盛環状線８および水量目盛環状線９が設けられている。これにより、適切な米量および水量を本体部内に配することができ、安定してよりおいしい御飯を炊き上げることができる。さらに、この実施例の本体部４の下部には甲台７が設けられている。
【００２０】
つぎに、本考案の炊飯兼用一膳茶碗１の使用方法について説明する。
炊飯兼用一膳茶碗１にて一膳の御飯を炊き上げる場合、まず、本体部４内に９０ｃｃ（約半合）の米を入れて洗米する。この時の米量は米量目盛環状線８まで米を投入することで計量することなく配することができる。つぎに、洗米を配した本体部４内に１３０ｃｃの水を入れて約１５分以上浸した状態とする。この時の水量は水量目盛環状線９まで水を投入することで、計量することなく配することができる。そして、約１５分以上、洗米を水に浸したら、蓋体２を本体部４の蓋体載置部３に載置して電子レンジで１５分、１７０Ｗ〜２００Ｗで加熱し炊き上げる。炊き上がったら、本体部４より蓋体２を取り外して、本体部４をそのまま茶碗として使用し食することできる。なお、本考案の炊飯兼用一膳茶碗１では、電子レンジによる加熱に際して、内蓋がなくても、吹きこぼれが発生して電子レンジ内を汚したり、蒸気圧で蓋が傾いて開口してしまうこともなく、おいしく炊飯できる。
【図面の簡単な説明】
【００２１】
【図１】図１は本考案の炊飯兼用一膳茶碗の一実施例の平面図である。
【図２】図１に示した炊飯兼用一膳茶碗の正面図である。
【図３】図３は図１のＡ−Ａ線断面図である。
【図４】図４は従来の電子レンジ用炊飯茶碗の縦断面図である。
【符号の説明】
【００２２】
１    炊飯兼用一膳茶碗
２    蓋体
３    蓋体載置部
４    本体部
５    蒸気吹出孔
６    把持部
７    甲台
８    米量目盛環状線
９    水量目盛環状線
【図１】
0003130306.tif 000003
【図２】
0003130306.tif 000004
【図３】
0003130306.tif 000005
【図４】
0003130306.tif 000006